(57)【要約】 【課題】  室内の狭小なスペースにも体裁良く保管でき、且つ、収集品を見栄え良く収納しておくことができるコレクションケースを提供する。【解決手段】  方形のケース台１と、このケース台１に着脱自在に載置される方形箱形の透明カバー２とから成る。前記ケース台１は、隣接２辺ａ、ｂの外側に係合片４を有すると共に、他方の隣接２辺ｂ、ｄであって、前記係合片４に対応する部位の内側に、この係合片４と係合可能な係合部５を有する。また、前記カバー２の頂部に、このカバー２の底縁部が係合可能な段部７を有する。【選択図】      図２
0003110961.tif 000002
【実用新案登録請求の範囲】
【請求項１】
収集品を収納しておくコレクションケースにおいて、
方形のケース台と、このケース台に着脱自在に載置される方形箱形の透明カバーとから成り、
前記ケース台は、隣接２辺の外側に係合片を設けると共に、他方の隣接２辺であって前記係合片に対応する部位の内側に、この係合片と係合可能な係合部を設けたことを特徴とするコレクションケース。
【請求項２】
前記カバーの頂部にこのカバーの底縁部が係合可能な段部を設けたことを特徴とする請求項１に記載のコレクションケース。 
【請求項３】
前記ケース台の裏面に、前記カバーの頂部が収まる陥没部を設けたことを特徴とする請求項１または請求項２の何れかに記載のコレクションケース。
【考案の詳細な説明】
【技術分野】
【０００１】
本考案は、収集した玩具類等を収納しておくコレクションケースに関するものである。
【背景技術】
【０００２】
従来より、装飾性や芸術性に優れる玩具類をコレクションとして収集することが好んで行われている。また、近年では、添付のオモチャやフィギア等を主眼とした菓子類等が多く流通してきており、これらオモチャや玩具類は彩色や造形の面で十分鑑賞に耐え得る優れたものも多く出現し、その熱烈な収集家も増加している。
【考案の開示】
【考案が解決しようとする課題】
【０００３】
ところで、上記した玩具類等の収集が進んで収集品の数が多くなると自ずと整理が雑になり、折角の収集品もゆっくり眺めて楽しむことができなくなる。このような玩具類の収納ケースも様々市販されているが、大きな透明ケースの棚に多数の玩具類を纏めて陳列する構造のものは、狭小なスペースには不向きであり、且つ、様々な収集品を雑多に収納すると装飾的にも少々見劣りするものである。
【０００４】
本考案は、このような問題点に鑑みて成されたもので、室内の狭小なスペースにも体裁良く保管でき、且つ、収集品を見栄え良く収納しておくことができるコレクションケースを提供することを目的としている。
【課題を解決するための手段】
【０００５】
すなわち、請求項１に記載の考案は、収集品を収納しておくコレクションケースにおいて、方形のケース台と、このケース台に着脱自在に載置される方形箱形の透明カバーとから成り、前記ケース台は、隣接２辺の外側に係合片を設けると共に、他方の隣接２辺であって前記係合片に対応する部位の内側にこの係合片と係合可能な係合部を設けたことを特徴としている。
【０００６】
また、請求項２に記載の考案は、請求項１に記載のコレクションケースにおいて、前記カバーの頂部に、このカバーの底縁部が係合可能な段部を設けたことを特徴としている。
【０００７】
また、請求項３に記載の考案は、請求項１または請求項２の何れかに記載のコレクションケースにおいて、前記ケース台の裏面に、前記カバーの頂部が収まる陥没部を設けたことを特徴としている。
【考案の効果】
【０００８】
本考案によれば、ケース台の係合片と別のケース台の係合部を係合することにより、収集品を収納したコレクションケースを平面方向に複数連結することができ、多数の収集品を体裁良く陳列しておくことができる。
また、平面方向の連結に加え、カバーの頂部に別のカバーの底縁部を係合することにより、コレクションケースを順次積み重ねることができ、狭小なスペースにも多数のコレクションケースを体裁良く立体的に連結して保管することができる。
このように、コレクションケースが着脱自在であると、例えば、一連のシリーズ物は関連付けて整然と陳列できる等、見栄えや装飾性の面で実用価値は極めて大きい。
【考案を実施するための最良の形態】
【０００９】
以下、図面に基づいて本考案の実施形態を説明する。
【００１０】
図１は本実施形態のコレクションケースを２段重ねした状態を示す斜視図、図２は図１の分解斜視図、図３（ａ）は図１の平面図、（ｂ）は側面図、（ｃ）は底面図、（ｄ）は側断面図、図４は本実施形態のレクションケースを平面方向および高さ方向に連結した状態を示す斜視図である。
【００１１】
図示のように、本実施形態のコレクションケースは、プラスチック製のケース台１と、このケース台１に着脱自在に載置される透明プレスチック製のカバー２とから構成されている。
【００１２】
上記カバー２は、底部開口の方形箱形であって、頂部にカバー２の底縁部が嵌め合い可能な段部７を形成している。従って、カバー２の段部７に別のカバー２の底縁部を嵌め合わせていくこととにより、複数のカバー２を積み重ねることができる。
【００１３】
上記ケース台１は、方形体の上面周縁部に溝３を形成し、この溝３に上記したカバー２の底縁部が嵌脱に嵌め込まれるようになっている。加えて、このケース台１は、隣接２辺（例えば、辺ａ、ｂ）の外側であって、それぞれの角部付近に上部に向けた係合片４、４を形成すると共に、他方の隣接２辺（辺ｃ、ｄ）であって、上記した係合片４に対応する部位の内側に、この係合片４と係合可能な一対の係合部５、５（薄肉部）を形成しており（図３（ｃ）参照）、且つ、裏面側は上記カバー２の頂部（段部７）が収まる陥没部６となっている。
【００１４】
上記構成では、ケース台１の係合片４と別のケース台１の係合部５を係合することにより、図４に示すように、コレクションケースを平面方向にも多数連結することができる。ケース台１の各辺は両端付近の２箇所で連結されるから、各コレクションケースの連結状態は良好でガタ付きは生じ難い。このようにして、コレクションケースを順次立体的に連結していくことにより、手持ちのコレクションケースを自在に纏め上げることができる。
【００１５】
また、上記要領で複数のカバー２を積み重ねる場合、図示しないが、ケース台１裏面の陥没部６を利用してカバー２とカバー２の間にこのケース台１を介在することも可能である。各連結部分にケース台１を介在することにより、各ケース台１相互の連結効果も加わり、立体的に纏めたコレクションケースの連結状態はより一層良好に保持されるようになる。
【００１６】
以上のように、本考案では、ケース台１の係合片４と別のケース台１の係合部５を係合することにより、収集品を収納したコレクションケースを平面的に複数連結することができ、多数の収集品を体裁良く保管・陳列しておくことができる。また、平面方向の連結に加え、カバー２の段部７にカバー２の底縁部を嵌め合わせることにより、コレクションケースを立体的に連結していくことができる。これにより、室内の狭小なスペースを利用して多数のコレクションケースを体裁良く立体的に纏めて保管することができる。
また、各々コレクションケースが嵌脱自在であると収集品の位置替えも容易に行え、例えば、一連のシリーズ物は完全な形で整然と陳列できる等、見栄えや装飾性の面においても実用価値は極めて大きい。
【図面の簡単な説明】
【００１７】
【図１】本考案に係るコレクションケースを２段重ねした状態を示す斜視図。
【図２】図１のコレクションケースの分解斜視図。
【図３】図１のコレクションケースを示し、（ａ）は平面図、（ｂ）は側面図、（ｃ）は底面図、（ｄ）は側断面図。
【図４】本考案に係るコレクションケースを平面方向および高さ方向に連結した状態を示す斜視図。
【符号の説明】
【００１８】
１  ケース台
２  カバー
４  係合片
５  係合部
６  陥没部
７  段部
【図１】
0003110961.tif 000003
【図２】
0003110961.tif 000004
【図３】
0003110961.tif 000005
【図４】
0003110961.tif 000006